(57)【要約】【課題】貯蔵物に結露水が付着することを抑制するとともに収納ケース内の貯蔵物の乾燥を抑えて貯蔵物の鮮度を保つ。【解決手段】前面の開口部５ａを扉５ｂにより開閉される貯蔵室５と、貯蔵物を収納するとともに前後にスライド自在に支持される収納ケース１０と、前記収納ケースの上面を前後にスライドして開閉するとともに閉じた際に前記収納ケース１０との間を密閉する小物ケース１１と、前記収納ケース１０の底面１０ｂを覆って前記収納ケース１０の底部に配されるとともに通気孔３１を有する通気パネル３０と、を有し、前記通気パネル３０と前記収納ケース１０の底面１０ｂとの間に結露水Ｗの貯水部３３を形成した。【選択図】図４
2013064534.tif 000002
【特許請求の範囲】
【請求項１】
前面の開口部を扉により開閉される貯蔵室と、
貯蔵物を収納するとともに前後にスライド自在に支持される収納ケースと、
前記収納ケースの上面を前後にスライドして開閉するとともに閉じた際に前記収納ケースとの間を密閉する小物ケースと、
前記収納ケースの底面を覆って前記収納ケースの底部に配されるとともに通気孔を有する通気パネルと、
を有し、前記通気パネルと前記収納ケースの底面との間に結露水の貯水部を形成したことを特徴とする冷蔵庫。
【請求項２】
前記貯蔵室内に冷気が流入する流入口を前記収納ケースの後方に有し、前記収納ケースの後壁と前記通気パネルとの間に結露水の流下する隙間を形成したことを特徴とする請求項１に記載の冷蔵庫。
【請求項３】
前記収納ケースの底面から突出して前記収納ケースの両側面に跨るリブを前記収納ケースの後部に設けたことを特徴とする請求項２に記載の冷蔵庫。
【請求項４】
前記通気パネルの前端を前記リブ上に配したことを特徴とする請求項３に記載の冷蔵庫。
【請求項５】
前記貯水部に所定水位で溢水させる溢水口を設けたことを特徴とする１〜４のいずれかに記載の冷蔵庫。
【発明の詳細な説明】
【技術分野】
【０００１】
本発明は、貯蔵物を収納する収納ケースを有し、収納ケース上にスライド自在の小物ケースを配した冷蔵庫に関する。
【背景技術】
【０００２】
従来の冷蔵庫は特許文献１に開示される。この冷蔵庫は上段より冷蔵室、冷凍室、野菜室が順に配置され、引き出し式の収納ケースが野菜室の内部に設けられている。収納ケース内に貯蔵物として野菜などを収納する。収納ケースの後方には小物ケースが配されている。小物ケースを後方へスライドさせて収納ケース内の上面を開いた状態から貯蔵物を取得する構成としている。
【先行技術文献】
【特許文献】
【０００３】
【特許文献１】特開平１１−９４４５６号公報（第２頁−第３頁、第２図）
【発明の概要】
【発明が解決しようとする課題】
【０００４】
近年、野菜の乾燥を防止するために収納ケース内の隙間を閉塞して密閉されることが望まれる。しかしながら、収納ケースの密閉度が高くなると、野菜等の貯蔵物から放出される水分によって収納ケースの壁面に結露が生じることがある。この時、結露水が流下して収納ケースの底面に溜まると、結露水が貯蔵物に付着して貯蔵物が劣化するという問題があった。
【０００５】
本発明は、結露水が貯蔵物に付着することを抑制するとともに、収納ケース内の貯蔵物の乾燥を抑えて貯蔵物の鮮度を保つことができる冷蔵庫を提供することを目的とする。
【課題を解決するための手段】
【０００６】
上記目的を達成するために本発明は、前面の開口部を扉により開閉される貯蔵室と、貯蔵物を収納するとともに前後にスライド自在に支持される収納ケースと、前記収納ケースの上面を前後にスライドして開閉するとともに閉じた際に前記収納ケースとの間を密閉する小物ケースと、前記収納ケースの底面を覆って前記収納ケースの底部に配されるとともに通気孔を有する通気パネルと、を有し、前記通気パネルと前記収納ケースの底面との間に結露水の貯水部を形成したことを特徴とする。
【０００７】
この構成によると、貯蔵物を収納した収納ケースは前後にスライドに移動し、小物ケースは収納ケースの上面を前後にスライドして開閉する。小物ケースを閉じると、収納ケースは小物ケースにより密閉される。貯蔵物から放出された水分によって収納ケース内壁に結露が生じると、結露水が流下して通気パネルと収納ケースの底面との間の貯水部に貯水される。また、貯水部に貯水された結露水は蒸発して収納ケース内が保湿される。
【０００８】
また本発明は、前記貯蔵室内に冷気が流入する流入口を前記収納ケースの後方に有し、前記収納ケースの後壁と前記通気パネルとの間に結露水の流下する隙間を形成したことを特徴とする。
【０００９】
また本発明は、前記収納ケースの底面から突出して前記収納ケースの両側面に跨るリブを前記収納ケースの後部に設けたことを特徴とする。この構成によるとリブと収納ケースの後壁との間に貯水部が形成される。
【００１０】
また本発明は、前記通気パネルの前端を前記リブ上に配したことを特徴とする。
【００１１】
また本発明は、前記貯水部に所定水位で溢水させる溢水口を設けたことを特徴とする。
【発明の効果】
【００１２】
本発明によると、小物ケースにより密閉される収納ケースの底部に配した通気パネルと収納ケースの底面との間に貯水部を形成したので、通気パネルによって貯蔵物が貯水部から隔離される。また、貯水部の結露水が蒸発して収納ケース内が保湿される。これにより、貯蔵物に結露水が付着することを抑制するとともに、貯蔵物の乾燥を抑制することができる。
【図面の簡単な説明】
【００１３】
【図１】本発明の第１実施形態の冷蔵庫を示す側面断面図
【図２】本発明の第１実施形態の収納ケースを示す平面図
【図３】本発明の第１実施形態の収納ケースを示す斜視図
【図４】本発明の第１実施形態の収納ケースを示す側面断面図
【図５】本発明の第２実施形態の収納ケースを示す側面断面図
【発明を実施するための形態】
【００１４】
以下に本発明の第１実施形態を図面を参照して説明する。図１は本実施形態の冷蔵庫を示す側面断面図である。冷蔵庫１は本体部を形成する断熱箱体２を備え、断熱箱体２には上方から順に冷蔵室３、冷凍室４、野菜室（貯蔵室）５が設けられる。冷蔵室３と冷凍室４とは断熱壁６によって仕切られ、冷凍室４と野菜室５とは断熱壁７によって仕切られる。
【００１５】
冷蔵室３は貯蔵物を冷蔵保存し、前面の開口部３ａは回動式の扉３ｂにより開閉される。冷凍室４は貯蔵物を冷凍保存し、前面の開口部４ａは収納ケース８と一体に形成された引き出し式の扉４ｂにより開閉される。冷凍室４の側壁及び収納ケース８の側壁の外面には前後に延びて互いに摺動する案内部（不図示）が設けられる。案内部によって収納ケース８が扉４ｂとともに前後に円滑に出し入れされる。
【００１６】
野菜室（貯蔵室）５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。野菜室５の側壁及び収納ケース１０の側壁の外側には前後に延びて互いに摺動する案内部（不図示）が設けられる。案内部によって収納ケース１０が扉５ｂとともに前後に円滑に出し入れされる。
【００１７】
野菜室５の後方には圧縮機４１が配される。圧縮機４１には凝縮器、膨張器及び冷却器（いずれも不図示）が順に接続され、圧縮機４１の駆動によりイソブタン等の冷媒が循環して冷凍サイクルが構成される。
【００１８】
図２、図３、図４は収納ケース１０の平面図、斜視図及び側面断面図を示す。尚、図３は小物ケース１１を取り外した状態を示している。収納ケース１０は上面を開口した樹脂成型品から成り、断熱材を充填した扉５ｂ（図１参照）の背面に取り付けられる。収納ケース１０の上面には果物等の小物の貯蔵物を収納する小物ケース１１が載置される。小物ケース１１は樹脂成型品から成り、収納ケース１０に対して前後にスライド自在に配される。これにより、収納ケース１０の上面が開閉される。
【００１９】
小物ケース１１の前端には収納ケース１０との間に配される可撓性のパッキン４０が設けられる。パッキン４０はシリコンゴム、ニトリルゴム、エチレンプロピレンゴム、クロロプレインゴムのいずれか一つまたは複数の併用によって形成することができる。パッキン４０は収納ケース１０の前端に設けてもよい。これにより、収納ケース１０の上面を閉じた際に収納ケース１０と小物ケース１１との間を密閉することができる。
【００２０】
収納ケース１０の前部右側には上面を開口した収納ボックス１６が配される。小物ケース１１の前部には収納ボックス１６が嵌挿される嵌挿部１５が切り欠いて形成され、パッキン４０によって小物ケース１１と収納ボックス１６との間が密閉される。収納ボックス１６内には内容量が２Ｌのペットボトル等の背の高い貯蔵物が収納される。
【００２１】
収納ケース１０の底部には底面１０ｂを覆う通気パネル３０が配される。通気パネル３０は複数の通気孔３１を有した樹脂成型品により形成され、収納ケース１０の側壁に突設した支持部（不図示）に橋架される。これにより、通気パネル３０は収納ケース１０の底面１０ｂと所定距離離れて略平行に配される。
【００２２】
また、収納ケース１０の後壁１０ｃと通気パネル３０との間には隙間Ｓ２が設けられる。通気パネル３０の前端３０ｂには下方に突出する突出部３０ａが設けられ、収納ケース１０の前面１０ａには突出部３０ａと嵌合する凹部１０ｄが設けられる。これにより、通気パネル３０の前後方向の移動が規制され、隙間Ｓ２の閉塞が防止される。
【００２３】
収納ケース１０の底面１０ｂには底面１０ｂから突出して収納ケース１０の両側面に跨るリブ３２が設けられる。リブ３２は収納ケース１０の後部に設けられる。収納ケース１０の後壁１０ｃ及びリブ３２と、これらに挟まれる底面１０ｂ及び両側面と、によって結露水を貯水する貯水部３３が形成される。また、リブ３２と通気パネル３０との間には隙間Ｓ１が形成される。
【００２４】
収納ケース１０の後壁１０ｃには貯水部３３に所定水位で溢水させる溢水口３４が設けられる。溢水口３４はリブ３２の高さよりも低い位置に設けられる。溢水口３４は複数設けられてもよく、また後壁１０ｃではなく収納ケース１０の側面に設けてもよい。また、収納ケース１０の後方には断熱壁７に開口して野菜室５に冷気を吐出する吐出口３６が設けられる。
【００２５】
上記構成の冷蔵庫１において、冷却器との熱交換により生成される冷気は冷蔵室３及び冷凍室４に吐出され、冷蔵室３及び冷凍室４を冷却する。冷凍室４を流通した冷気は冷却器に戻る。冷蔵室３を流通した冷気は野菜室５に導かれ、吐出口３６から野菜室５内に吐出される。
【００２６】
収納ケース１０の後壁１０ｃの近傍の吐出口３６からの冷気は収納ケース１０の後壁１０ｃを冷却する。この時、収納ケース１０内の野菜等の貯蔵物から水分が放出されると、収納ケース１０の後壁１０ｃに結露水Ｗが発生する場合がある。
【００２７】
収納ケース１０の後壁１０ｃ上に発生した結露水Ｗは自重により流下し、隙間Ｓ２を介して貯水部３３に回収される。これにより、収納ケース１０の結露水Ｗを野菜等の貯蔵物に接触することを低減することができる。
【００２８】
また、貯水部３３の貯水が蒸発すると水蒸気が通気パネル３０の通気孔３１を介して矢印Ｘにしめすように収納ケース１０内に供給される。これにより、収納ケース１０内を一定の湿度を保ち、野菜等の貯蔵物の乾燥を防ぐことができる。
【００２９】
貯水部３３に回収された結露水Ｗは所定水位になると溢水口３４から野菜室５に溢水される。これにより、貯水部３３の水位が通気パネル３０よりも上昇することを防止できる。野菜室５から溢水した結露水Ｗは吐出口３６からの冷気に水分を供給し、その後徐々に蒸発する。
【００３０】
本実施形態によると、閉じた際に収納ケース１０との間を密閉する小物ケース１１と、収納ケース１０の底面１０ｂを覆って収納ケース１０の底部に配されるとともに通気孔３１を有する通気パネル３０と、を有し、通気パネル３０と収納ケースの底面１０ｂとの間に結露水Ｗの貯水部３３を形成したため、収納ケース１０内の結露水Ｗは貯水部３３に貯水される。これにより、貯蔵物に結露水Ｗが付着することを抑制し、貯蔵物の乾燥を抑制することができる。
【００３１】
また、野菜室５内に冷気が流入する流入口３６を収納ケース１０の後方に有し、収納ケース１０の後壁１０ｃと通気パネル３０との間に結露水の流下する隙間を形成したため、後壁１０ｃに付着した結露水Ｗを通気パネル３０に付着せずに貯水部３３へ流下される。これにより、貯蔵物に結露水Ｗが付着することを抑制し、貯蔵物の乾燥を抑制することを容易に実現できる。
【００３２】
また、収納ケース１０の底面１０ｂから突出して収納ケース１０の両側面に跨るリブ３２を収納ケース１０の後部に設けたため、収納ケース１０を前後方向へスライドさせた際、貯水部３３の結露水Ｗは貯蔵物に付着し難くなる。
【００３３】
また、貯水部３３に所定水位で溢水させる溢水口３４を設けたために、貯水部３３の水位の上昇を防止するとともに、溢水された結露水Ｗは流入口３６からの冷気に水分を供給することができる。
【００３４】
（第２実施形態）
次に図５は第２実施形態の冷蔵庫１の収納ケース１０を示す側面断面図である。説明の便宜上、前述の図１〜図４示す第１実施形態と同様の部分には同一の符号を付している。本実施形態は通気パネル３０の奥行の長さが異なっている。その他の部分は第１実施形態と同様である。
【００３５】
収納ケース１０の底面１０ｂには底面１０ｂから突出して収納ケース１０の両側面に跨るリブ３２が設けられる。リブ３２は収納ケース１０の後部に設けられ、収納ケース１０の後壁１０ｃとリブ３２とその間の底面１０ｂとによって結露水を貯水する貯水部３３が形成される。
【００３６】
通気パネル３０は貯水部３３を覆い、前端３０ｂがリブ上に配される。通気パネル３０の後方には第１実施形態と同様に隙間Ｓ２が設けられる。
【００３７】
収納ケース１０の後壁１０ｃ上に発生した結露水Ｗは自重により流下し、隙間Ｓ２を介して貯水部３３に回収される。これにより、収納ケース１０の結露水Ｗを野菜等の貯蔵物に接触することを低減することができる。
【００３８】
また、貯水部３３の貯水が蒸発すると水蒸気が通気パネル３０の通気孔３１を介して矢印Ｘにしめすように収納ケース１０内に供給される。これにより、収納ケース１０内を一定の湿度を保ち、野菜等の貯蔵物の乾燥を防ぐことができる
【００３９】
また、前端３０ｂをリブ３２上に配されるで、リブ３２と収納ケース１０の前面１０ａとの間のスペースを有効活用することができる。
【産業上の利用可能性】
【００４０】
本発明によると、スライド移動する収納ケースを備えた冷蔵庫に利用することができる。
【符号の説明】
【００４１】
１      冷蔵庫
３      冷蔵室
４      冷凍室
５      野菜室（貯蔵室）
８      収納ケース
１０    収納ケース
１０ａ  前面
１０ｂ  底面
１０ｃ  後壁
１０ｄ  凹部
３０    通気パネル
３０ａ  突出部
３０ｂ  前端
３１    通気孔
３２    リブ
３３    貯水部
３４    溢水口
４０    パッキン
Ｓ１    隙間
Ｓ２    隙間
Ｗ      結露水
【図１】
2013064534.tif 000003
【図２】
2013064534.tif 000004
【図３】
2013064534.tif 000005
【図４】
2013064534.tif 000006
【図５】
2013064534.tif 000007